(57)【特許請求の範囲】
【請求項１】
携帯電話に搭載されるＩｒＤＡ変復調ＩＣにおいて、
ベースバンド信号の処理を行うベースバンドＩＣで使用されているクロックを入力し、該クロックの周波数を変換してＩｒＤＡ変復調ＩＣ用のクロックとするＰＬＬ回路と、
該ＰＬＬ回路を制御する制御部と、を備えているとともに、
前記ＰＬＬ回路は、
前記ベースバンドＩＣで使用されているクロックの周波数を１／ｎ倍（ただし、ｎは整数）する第１の分周回路と、
前記第１の分周回路の出力と第２の分周回路の出力の位相差を比較する位相比較器と、
前記位相比較器の出力から高周波成分を除去する低域フィルタと、
前記低域フィルタの出力により発振周波数が制御される電圧制御発振器と、を備え、
前記制御部は、
前記電圧制御発振器の出力を前記第２の分周回路で周波数を１／ｍ倍（ただし、ｍは整数）し、少なくとも１つ以上のｎ及びｍの各値からそれぞれ特定の値を選択するものであり、
前記ベースバンド信号のクロックが１２．６ＭＨｚのときは、ｍ／ｎ＝８×ｋ／８７５（ｋは整数）の関係を満たすｎとｍの値を選択し、
前記ベースバンド信号のクロックが１２．８ＭＨｚのときは、ｍ／ｎ＝９×ｋ／１０００の関係を満たすｎとｍの値を選択し、
前記ベースバンド信号のクロックが１４．４ＭＨｚのときは、ｍ／ｎ＝ｋ／１２５の関係を満たすｎとｍの値を選択することを特徴とするＩｒＤＡ変復調ＩＣ。
【請求項２】
赤外線の受光及び発光を行うアナログフロントエンドが接続されており、
前記アナログフロントエンドで前記赤外線を受光したときに内部に設けられている起動回路により起動することを特徴とする請求項１に記載のＩｒＤＡ変復調ＩＣ。
【請求項３】
携帯電話に搭載されるＩｒＤＡ変復調ＩＣにおいて、ベースバンド信号を処理するベースバンドＩＣで使用されているクロックを入力することにより前記クロックの周波数を変換するＰＬＬ回路と、前記ＰＬＬ回路より出力されるクロックを分周する分周回路と、前記分周回路より出力されるクロックを使用して外部より赤外線で送られてくるＩｒＤＡ方式の信号を復調する受信回路と、前記受信回路で前記ＩｒＤＡ方式の信号を復調するのに失敗したときに前記ＰＬＬ回路に設けられている分周回路の分周比を変更するコントロールレジスタと、を備えたことを特徴とするＩｒＤＡ変復調ＩＣ。
【発明の詳細な説明】
【０００１】
【発明の属する技術分野】
本発明は携帯電話に使用される赤外線通信用のＩｒＤＡ変復調ＩＣ（Integrated Circuit）に関する。
【０００２】
【従来の技術】
従来のＩｒＤＡ変復調ＩＣについて図５を用いて説明する。携帯電話５０には電話全体を制御する電話ＣＰＵ（Central Processing Unit）５２やベースバンド信号を処理するために用いられているベースバンドＩＣ５５等が搭載されている。
【０００３】
さらに外部のパーソナルコンピュータ（以下「パソコン」という）６０等とＩｒＤＡ（Infrared Data Association）方式で赤外線通信を行うために、携帯電話５０にはＩｒＤＡ変復調ＩＣ５８が搭載されている。例えば、パソコン６０に記録されているファクシミリのデータを赤外線で携帯電話５０に送り、さらにその送られたデータを携帯電話５０から無線によって別の場所に伝送する場合にＩｒＤＡ変復調ＩＣ５８は利用される。
【０００４】
ＩｒＤＡ変復調ＩＣ５８は赤外線で送信しようとする信号を変調し、アナログフロントエンド４に送る。アナログフロントエンド４は発光ダイオード等で赤外線の放射を行い、矢印Ａに示すようにパソコン６０等に信号を送る。逆に、パソコン６０より矢印Ｂに示すように赤外線で送られてくる信号をアナログフロントエンド４のホトダイオード等で受けると、アナログフロントエンド４は波形の整形を行ってからＩｒＤＡ変復調ＩＣ５８に信号を送る。ＩｒＤＡ変復調ＩＣ５８はこの信号を復調することにより通信が行われる。
【０００５】
【発明が解決しようとする課題】
しかしながら、ＣＰＵ５２、ＩＣ５５及びＩＣ５８ではそれぞれクロック周波数が独自のものとなっているために、それぞれ別個に水晶発振子５１、５４、５７を設ける必要があった。尚、ＣＰＵ５２、ＩＣ５５及びＩＣ５８のそれぞれに発振回路５３、５６、５９が設けられている。図示していないが、携帯電話５０に搭載される他のＩＣにおいても同様に発振子が設けられているものもある。
【０００６】
発振子５４によるクロックの周波数は、例えば１２．６ＭＨｚ、１２．８ＭＨｚや１４．４ＭＨｚである。このクロックはベースバンドＩＣ５５の内部に設けられているＣＰＵ（図示せず）等に使用される。一方、ＩｒＤＡ変復調ＩＣ５８で用いられるクロック周波数は、例えば１５３．６ｋＨｚ、３．６８６４ＭＨｚ、７．３７２８ＭＨｚである。これらの値は、ＩｒＤＡ方式の基準ボーレートが９．６ｋｂｐｓであることに基づいており、分周により簡単に９．６ｋＨｚのクロックを生成することができるように９．６ｋＨｚの整数倍となっている。
【０００７】
このようにＣＰＵ５２、ＩＣ５５及びＩＣ５８にはそれぞれ独自のクロックが必要であるために別個に発振子５１、５４、５７が必要であった。ＩｒＤＡ変復調ＩＣ５８が携帯電話５０に搭載される際に、搭載される発振子の個数も増大していたため、上記従来の携帯電話５０ではコストが上昇し、また、その発振子を設置するために基板の面積が大きくなっていた。
【０００８】
本発明は上記課題を解決するものであり、携帯電話に搭載される発振子の個数を減少させることにより、低コスト化を図り、また、基板面積を縮小することのできるＩｒＤＡ変復調ＩＣを提供することを目的とする。
【０００９】
【課題を解決するための手段】
上記目的を達成するために、本発明の第１の構成では、携帯電話に搭載されるＩｒＤＡ変復調ＩＣにおいて、ベースバンド信号の処理を行うベースバンドＩＣで使用されているクロックを入力し、該クロックの周波数を変換してＩｒＤＡ変復調ＩＣ用のクロックとするＰＬＬ回路を備えている。
【００１０】
このような構成によると、ＩｒＤＡ変復調ＩＣはベースバンドＩＣで使用されているクロック（例えば１２．６ＭＨｚ）を取り込み、ＰＬＬ回路で例えば７．３７２８ＭＨｚに変換する。この変換後のクロックを使用してＩｒＤＡ変復調ＩＣは信号の変調や復調を行う。
【００１１】
また、本発明の第２の構成では、上記第１の構成において、前記ＰＬＬ回路は、前記ベースバンドＩＣで使用されているクロックの周波数を１／ｎ倍（ただし、ｎは整数）する第１の分周回路と、前記第１の分周回路の出力と第２の分周回路の出力の位相差を比較する位相比較器と、前記位相比較器の出力から高周波成分を除去する低域フィルタと、前記低域フィルタの出力により発振周波数が制御される電圧制御発振器を備えており、前記電圧制御発振器の出力を前記第２の分周回路で周波数を１／ｍ倍（ただし、ｍは整数）し、少なくとも１つ以上のｎ及びｍの各値からそれぞれ特定の値を選択することのできる制御手段を設けている。
【００１２】
このような構成では、ベースバンドＩＣのクロックの周波数が異なっていてもｎ及びｍの値を制御手段で切り換えることによりＰＬＬ回路で生成されるクロックの周波数を等しくすることができる。制御手段は例えばコントロールレジスタでセレクタ（選択器）を制御するものである。ベースバンドのクロック周波数によって上記セレクタで経路を切り換え、この経路に違いによって第１の分周回路でｎの値が変わるようにしておく。第２の分周回路の入力側でも同様にセレクタを設け、ｍの値が変わるようにしておく。
【００１３】
また、本発明の第３の構成では、上記第２の構成において、前記ベースバンド信号のクロックが１２．６ＭＨｚのとき前記制御手段で、ｍ／ｎ＝８×ｋ／８７５（ｋは整数）の関係を満たすｎとｍの値を選択し、前記ベースバンド信号のクロックが１２．８ＭＨｚのとき前記制御手段で、ｍ／ｎ＝９×ｋ／１０００の関係を満たすｎとｍの値を選択し、前記ベースバンド信号のクロックが１４．４ＭＨｚのとき前記制御手段で、ｍ／ｎ＝ｋ／１２５の関係を満たすｎとｍの値を選択している。
【００１４】
このような構成では、ベースバンドＩＣのクロック周波数が１２．６ＭＨｚ、１２．８ＭＨｚ又は１４．４ＭＨｚのどれであっても、上記関係を満たすｍとｎの設定によりＰＬＬ回路より例えば７．３７２８ＭＨｚのように１１５．２ｋＨｚのｋ倍のクロックが生成される。
【００１５】
また、本発明の第４の構成では、上記第２の構成又は上記第３の構成において、赤外線の受光及び発光を行うアナログフロントエンドが接続されており、該ＩｒＤＡ変復調ＩＣは、前記アナログフロントエンドで前記赤外線を受光したときに内部に設けられている起動回路により起動している。
【００１６】
このような構成によると、パソコン等が携帯電話と赤外線通信を行おうとするときには、まずディスカバリ（discovery）の通信過程で通信相手を探す信号が一定周期で出力される。アナログフロントエンドがこの信号を受け取ると、ＩｒＤＡ変復調ＩＣに信号を出力する。この信号は回路的に参照することができるので、起動回路によってＩｒＤＡ変復調ＩＣ全体が起動される。これにより、携帯電話はパソコン等と通信を行う。
【００１７】
また、本発明の第５の構成では、携帯電話に搭載されるＩｒＤＡ変復調ＩＣにおいて、ベースバンド信号を処理するベースバンドＩＣで使用されているクロックを入力することにより前記クロックの周波数を変換するＰＬＬ回路と、前記ＰＬＬ回路より出力されるクロックを分周する分周回路と、前記分周回路より出力されるクロックを使用して外部より赤外線で送られてくるＩｒＤＡ方式の信号を復調する受信回路と、前記受信回路で前記ＩｒＤＡ方式の信号を復調するのに失敗したときに前記ＰＬＬ回路に設けられている分周回路の分周比を変更するコントロールレジスタとを備えている。
【００１８】
このような構成によると、ＩＣ全体が起動した後にＰＬＬ回路で生成されるクロックを分周回路で分周し受信回路に送る。受信回路がそのクロックの周波数では通信を行うことができない場合、受信が失敗であったことをコントロールレジスタに伝える。コントロールレジスタはＰＬＬ回路の分周回路の分周比を設定するためのレジスタであり、受信に失敗した場合にはコントロールレジスタはＰＬＬ回路での分周比を変更してクロック周波数を変更する。もし受信に成功すればコントロールレジスタの設定を固定してＰＬＬ回路より出力されるクロックの周波数を一定に保つ。さらに、受信に失敗すれば再度クロック周波数を変更する。
【００１９】
【発明の実施の形態】
＜第１の実施形態＞
本発明の第１の実施形態について図１及び図２を用いて説明する。図１は携帯電話に搭載されているベースバンドＩＣ２と、ＩｒＤＡ変復調ＩＣ３と、それらの周辺部の主要部を示すブロック図である。尚、携帯電話には電話ＣＰＵ５２等（図５参照）も搭載されている。アナログフロントエンド４は赤外線の受光及び発光を行うもので、赤外線を受光したときには信号の波形整形を行ってから出力する。アナログフロントエンド４はＩｒＤＡ変復調ＩＣ３とデジタルで信号の入出力を行う。
【００２０】
ベースバンドＩＣ２は音声の符号化／復号化や時分割多重方式の処理等のベースバンド信号の処理を行う。ベースバンドＩＣ２及び水晶発振子１は携帯電話５０（図５参照）に搭載されているベースバンドＩＣ５５及び発振子５４とそれぞれ同一である。
【００２１】
ベースバンドＩＣ２で発振子１（図１参照）を用いて生成されるクロックの周波数は、ベースバンド信号の処理に使用されるクロックであるため、種類がある程度限定されている。
【００２２】
ＩｒＤＡ変復調ＩＣ３には、ＣＰＵ１２と、ソフトウェア等を格納するＲＯＭ（Read Only Memory）１１と、データの一時的な記憶等に使用されるＲＡＭ（Random Access Memory）１０と、論理素子から成るロジック部８と、信号の変調や復調等を行う送受信回路６と、ＩｒＤＡ変復調ＩＣ３がオフのときに送受信回路６にアナログフロントエンド４から信号が送られてきた時にＩＣ３全体を起動するバッファ７と、クロック信号を生成するＰＬＬ（Phase Locked Loop）回路５が設けられている。
【００２３】
ＲＯＭ１１に格納されているソフトウェアはＩｒＤＡ方式の通信において通信の設定や信号の変換等の処理を行うものである。このソフトウェアによってＣＰＵ１２が処理を実行する。このとき、一時的なデータの記憶等にはＲＡＭ１０が使用される。例えば、パラレル信号がＩｒＤＡ方式の信号に変換される。
【００２４】
ＩｒＤＡ変復調ＩＣ３はベースバンドＩＣ２からクロック信号を取り込む。このクロックをＩｒＤＡ変復調ＩＣ３はＰＬＬ回路５で周波数を変換し、例えば７．３７２８ＭＨｚのクロック（ＣＬ）を生成する。ロジック部８にはコントロールレジスタ９が設けられており、ＰＬＬ回路５での分周の設定を行ってクロック（ＣＬ）の周波数を制御している。
【００２５】
ＩｒＤＡ方式では通信の最大ボーレートは１１５．２ｋｂｐｓであるので、ＰＬＬ回路５より出力されるクロック（ＣＬ）の周波数が１１５．２ｋＨｚの整数倍であれば、クロック（ＣＬ）を分周することによりＩｒＤＡ変復調ＩＣ３は簡単にボーレートに同期した信号を得ることができる。
【００２６】
次に、ＰＬＬ回路５のさらに詳しいブロック図を図２に示す。ベースバンドＩＣ２（図１参照）で用いられるクロックはＰＬＬ回路５において、まずセレクタ２０の端子４０に入力される。セレクタ２０ではコントロールレジスタ９により３個の端子４１〜４３のいずれかに選択されてクロックが送られる。
【００２７】
例えば、クロックの周波数が１２．６ＭＨｚであるとき端子４１にクロックが送られ、クロックの周波数が１２．８ＭＨｚであるとき端子４２にクロックに送られ、クロックの周波数が１４．４ＭＨｚであるとき端子４３にクロックに送られる。端子４１〜４３より送り出されるクロックの各周波数はｆ１＝１２．６ＭＨｚ、ｆ２＝１２．８ＭＨｚ、ｆ３＝１４．４ＭＨｚとなる。また、コントロールレジスタ９はセレクタ２０を切り換えるときには、セレクタ２７も同時に切り換え、クロック周波数により信号経路が異なるようにする。
【００２８】
セレクタ２０の次段の分周回路２１はクロックの周波数を１／ｎ倍する。分周回路２１では３種類のクロック周波数ｆ１〜ｆ３のそれぞれにｎの値が設定されている。分周した信号を位相比較器２２に出力する。位相比較器２２は分周回路２１、２５より出力される両信号の位相差を比較する。そして、位相比較器２２の出力から低域フィルタ２３で高周波成分を除去し、電圧制御発振器２６に送る。
【００２９】
電圧制御発振器２６は上記位相差が小さくなるように周波数ｆｏを変更してクロック（ＣＬ）を出力する。また、クロック（ＣＬ）はセレクタ２７で経路が切り換えられて分周回路２５に送られる。分周回路２５でセレクタ２７が経路ごとに設定されている値ｍ（整数）で周波数が（１／ｍ）倍され位相比較器２２に送られる。
【００３０】
セレクタ２０、２７の切り換えはコントロールレジスタ９で制御される。例えば、ベースバンドＩＣ２のクロック周波数が１２．６ＭＨｚの場合、コントロールレジスタ９でｍ／ｎ＝５１２／８７５の関係を満たす整数ｎとｍを選択する。クロック周波数が１２．８ＭＨｚの場合、ｍ／ｎ＝７２／１２５の関係を満たす整数ｍとｎを選択する。クロック周波数が１４．４ＭＨｚの場合、ｍ／ｎ＝６４／１２５の関係を満たす整数ｍとｎを選択する。
【００３１】
ベースバンドＩＣ２ではクロック周波数の種類が限定されているため、図２に示すようにセレクタ２０、２７を用いて分周比を選択するような構成とすることにより多数のベースバンドＩＣ２に対応できる。ところが、例えば電話ＣＰＵ５２（図５参照）のようにその他のＩＣ等では使用されるクロック周波数は統一されていない。そのため、セレクタ２０、２７では多くの電話ＣＰＵ５２等に対処できない。また、ＣＰＵ５２等では性能の向上等のためクロック周波数が変更される可能性もある。
【００３２】
ベースバンドＩＣ２ではクロック周波数の種類がある程度限定されているので、セレクタ２０で３種類の周波数に対応しているだけでも多数のベースバンドＩＣ２に対応できる。また、ベースバンドＩＣ２ではベースバンド信号を処理するのでクロック周波数の変更もあまり行われないと考えられる。
【００３３】
再び説明を図１に戻すと、アナログフロントエンド４では、赤外線の受光及び発光を行い、矢印Ａ、Ｂに示すように例えばパソコン６０と相互に通信を行う。また、低消費電力とするため、赤外線通信を行わないときにはＩｒＤＡ変復調ＩＣ３をオフしておく。携帯電話からパソコン６０と赤外線通信を行うときは電話ＣＰＵ５２（図５参照）によってＩｒＤＡ変復調ＩＣ３を起動して通信を行えばよい。
【００３４】
一方、パソコン６０から携帯電話に通信を求めるときには、ＩｒＤＡ方式ではディスカバリの通信過程においてパソコン６０より接続相手をさがす信号が出力される。この信号がアナログフロントエンド４で受け取られるとＩｒＤＡ変復調ＩＣ３の送受信回路６に送られる。ＩＣ３がオフ状態であっても回路的に信号を見ることができるので、バッファ７でＩｒＤＡ変復調ＩＣ３全体を起動することができる。
【００３５】
これにより、ＰＬＬ回路５よりクロック（ＣＬ）が生成されるので、パソコン６０から次の呼び出し信号が送られてくればＩｒＤＡ変復調ＩＣ３は応答することができる。これにより、携帯電話とパソコン６０は通信を行うことができる。パソコン６０はディスカバリの通信過程において、応答がなければ次の過程に進むことができないので、パソコン６０からの信号に対して携帯電話の応答が少しばかり遅れることとなっても殆ど問題がない。ＩｒＤＡ変復調ＩＣ３が起動した後、ネゴシエーション（negotiation）等の通信過程を経て互いにデータを送受信する。その後、通信が終了すればＩｒＤＡ変復調ＩＣ３は再びオフする。
【００３６】
以上説明したように本実施形態によれば、ＩｒＤＡ変復調ＩＣ３ではクロック信号をベースバンドＩＣ２から読み込み、ＰＬＬ回路５を用いてクロックの周波数を変換することができるので、ＩｒＤＡ変復調ＩＣ３に専用の発振子を設ける必要がない。そのため、携帯電話では搭載される発振子の個数を減らすることができる。これにより、携帯電話のコストを低下させることができる。また、発振子の個数が減っているため基板面積を縮小させることができるので携帯電話の小型化にも寄与する。さらに、赤外線通信を行うときに自動的にＩｒＤＡ変復調ＩＣ３が起動し、通信を行わないときにはオフしているので、携帯電話の消費電力が増大しないようになっている。
【００３７】
セレクタ２０、２７はコントロールレジスタ９で制御されているが、ベースバンドＩＣ２のクロック周波数によってダイオード等を使ってセレクタ２０、２７の部分で直接結線して経路を決めてもよい。また、分周回路２１、２５では各入力経路に対して回路的にｎ、ｍが特定されているが、ソフトウェアでｎ、ｍを設定するような構成とすることも可能である。
【００３８】
クロック（ＣＬ）の周波数は７．３７２８ＭＨｚだけでなく他の値でもよい。ＩｒＤＡ方式では最大ボーレートが１１５．２ｋｂｐｓであるので、クロック（ＣＬ）の周波数を１１５．２ｋＨｚの整数倍とすることにより、分周を行えばＩｒＤＡ方式のあらゆるボーレートに同期したクロックを簡単に生成することができる。このとき、分周回路２１、２５のそれぞれにｍ／ｎ＝８×ｋ／８７５、ｍ／ｎ＝９×ｋ／１０００、ｍ／ｎ＝ｋ／１２５（ただし、ｋは整数）の関係をそれぞれ満たすｎとｍを設定し、コントロールレジスタ９で選択する。
【００３９】
当然、セレクタ２０、２７で選択できる経路を増やせばＩｒＤＡ変復調ＩＣ３に入力可能なベースバンドＩＣ２のクロック周波数の種類を増やすことができる。ＩｒＤＡ変復調ＩＣ３はＩｒＤＡ方式の変復調の機能だけでなく、携帯電話における他の機能を兼ね備えたものでもよい。
【００４０】
＜第２の実施形態＞
本発明の第２の実施形態について図３を用いて説明する。本実施形態のＩｒＤＡ変復調ＩＣ３ａは上記第１の実施形態のＩｒＤＡ変復調ＩＣ３（図１参照）にさらに自動的にコントロールレジスタ３３でセレクタ２０、２７（図２参照）の選択を切り換える機能を備えたものである。図３において図１と同一部分については同一符号を付し、説明を省略する。
【００４１】
前述したように、パソコン６０（図１参照）等から携帯電話にＩｒＤＡ方式で赤外線通信を行おうとするときには、まずパソコン６０はディスカバリの通信過程においてボーレート９．６ｋｂｐｓで携帯電話を呼び出す信号を送る。携帯電話より応答がなければパソコン６０は次の通信過程に進めない。
【００４２】
図４に送受信回路回路３２の一例のブロック図を示す。送受信回路３２がオフしているときアナログフロントエンド４から送受信回路３２に信号が入力された場合、その信号はダイオードＤと抵抗Ｒを介してコンデンサＣに送られ、コンデンサＣに電荷を蓄積する。コンデンサＣの一端は接地されており、コンデンサＣの電位が電荷の蓄積によりあるレベルに達すると、バッファ７によりＩＣ３ａ全体を起動する。また、送受信回路３２の内部においてもスイッチ動作するトランジスタ等を用いて送信部３５及び受信部３６に電圧を印加して起動する。
【００４３】
送信部３５はロジック部８から信号を読み込み、変調を行ってアナログフロントエンド４に送る。受信部３６はアナログフロントエンド４から送られてくる信号を復調し、信号をロジック部８に出力する。受信に失敗すれば受信部３６はコントロールレジスタ３３に失敗したことを伝える。
【００４４】
図３において、アナログフロントエンド４でパソコン６０から信号を受け取ると、送受信回路３２から信号がバッファ７に送られ、バッファ７によりＩｒＤＡ変復調ＩＣ３ａが起動する。ＰＬＬ回路５ではベースバンドＩＣ２（図１参照）からクロックを取り込み、コントロールレジスタ３３の初期設定に基づいて周波数を変換してクロック（ＣＬ）を出力する。
【００４５】
コントロールレジスタ３３での選択がベースバンドＩＣ２のクロック周波数と整合している場合、ＰＬＬ回路５から出力されるクロック（ＣＬ）は、例えば７．３７２８ＭＨｚとなる。このとき、クロック（ＣＬ）は分周回路３１で分周され、９．６ｋＨｚのクロックとなる。この９．６ｋＨｚのクロックが受信回路３２に入力される。
【００４６】
この信号に基づいて送受信回路６ではアナログフロントエンド４からの信号の復調等を行う。ところが、コントロールレジスタ３３の初期設定では必ずしもＰＬＬ回路５より正しく７．３７２８ＭＨｚのクロックが出力されているとは限らないので、送受信回路６より受信が成功したかどうかを示す信号がコントロールレジスタ３３に送られる。
【００４７】
受信に成功したときにはコントロールレジスタ３３は、コントロールレジスタ３３の設定を維持する。一方、受信が失敗したときにはコントロールレジスタ３３よりセレクタ２０、２７に選択を切り換える制御を行う。これにより、ＰＬＬ回路５では生成されるクロック（ＣＬ）の周波数が変更され、再び受信が試みられる。
【００４８】
このようにクロック（ＣＬ）の周波数が７．３７２８ＭＨｚとなるまでコントロールレジスタ３３で切り換えが行われる。そして、受信に成功すれば９．６ｋｂｐｓでパソコン６０に応答する。コントロールレジスタ３３は図２に示すようにセレクタ２０、２７で３つの経路を切り換えるだけなので、パソコン６０等からの呼び出しに対しても通信の開始が大きく遅れることはない。
【００４９】
以上説明したように本実施形態により、ＩｒＤＡ変復調ＩＣ３ａはベースバンドＩＣ２（図１参照）のクロックの周波数が異なっていても自動的に調整できるので、携帯電話にＩｒＤＡ変復調ＩＣ３ａを搭載するときに例えばダイオード等を用いた結線による設定を不要としている。これにより、ＩｒＤＡ変復調ＩＣ３ａはベースバンドＩＣ２の種類に関わらず、自動的に７．３７２８ＭＨｚのクロックを生成することができる。クロック（ＣＬ）がその他の周波数であっても同様に自動的に生成される。
【００５０】
【発明の効果】
＜請求項１の効果＞
上述のように本発明により、ＩｒＤＡ変復調ＩＣは専用の発振子を備える必要がなくなるので、携帯電話に搭載される発振子の個数を減らすことができる。これにより、携帯電話の低コスト化を図ることができる。さらに、基板面積を縮小することができるので携帯電話の小型化にも寄与する。
【００５１】
また、ベースバンドＩＣのクロック周波数の種類はあまり多くないので、クロック周波数に応じて選択を行うことにより、ＰＬＬ回路で生成されるクロックの周波数を一致させることができる。これにより、ベースバンドＩＣのクロック周波数が異なっていても、それぞれ専用のＩｒＤＡ変復調ＩＣを準備する必要がなくなり、請求項２に記載のＩｒＤＡ変復調ＩＣで対処することができる。
【００５２】
また、ベースバンドＩＣのクロック周波数は多くの場合１２．６ＭＨｚ、１２．８ＭＨｚ又は１４．４ＭＨｚのいずれかであり、一方、ＩｒＤＡ方式の最大ボーレートが１１５．２ｋｂｐｓであるので、ＰＬＬ回路で１１５．２ｋＨｚの整数倍のクロックを生成すれば、ＩｒＤＡ変復調ＩＣで分周を行うことにより簡単にどのボーレートにも同期した作り出すことができる。１１５．２ｋＨｚのクロック信号を分周すれば他のボーレートに同期したクロック信号を全て生成可能である。
【００５３】
＜請求項２の効果＞
通信開始時にＩｒＤＡ変復調ＩＣの起動が自動化される。通信を行わないときにＩｒＤＡ変復調ＩＣをオフすれば携帯電話にとって消費電力の低減にもなる。
【００５４】
＜請求項３の効果＞
ベースバンドＩＣのクロックに対応してコントロールレジスタにより自動的に分周比を切り換えて通信を行うことができるようになる。ベースバンドＩＣの種類によって特別な設定を施すことなく、ＩｒＤＡ変復調ＩＣを簡単に携帯電話に搭載することができる。
【図面の簡単な説明】
【図１】  本発明の第１の実施形態のブロック図。
【図２】  そのＰＬＬ回路のブロック図。
【図３】  その送受信回路のブロック図。
【図４】  本発明の第２の実施形態のブロック図。
【図５】  従来のＩｒＤＡ変復調ＩＣを用いた携帯電話のブロック図。
【符号の説明】
１    発振子
２    ベースバンドＩＣ
３    ＩｒＤＡ変復調ＩＣ
４    アナログフロントエンド
５    ＰＬＬ回路
６    受信回路
７    バッファ
８    ロジック部
９    コントロールレジスタ
１０    ＲＡＭ
１１    ＲＯＭ
１２    ＣＰＵ
１９    発振回路
６０    パソコン
【図１】
0003830225.tif 000002
【図２】
0003830225.tif 000003
【図３】
0003830225.tif 000004
【図４】
0003830225.tif 000005
【図５】
0003830225.tif 000006